(57)【要約】  入力される垂直同期信号の乱れによる影響を軽減できる映像処理装置を提供する。同期信号制御部（１５）は、入力側垂直同期信号が入力されたことを検出する同期信号検出部（１２）の検出結果に基づいて、出力側垂直同期信号を出力する。具体的には、同期信号制御部（１５）は、同期信号検出部（１２）が所定の周期で入力側垂直同期信号の入力を検出したときは、入力された入力側垂直同期信号を出力側垂直同期信号として出力し、出力側垂直同期信号を出力してから所定の周期が経過する前に同期信号検出部（１２）が次の入力側垂直同期信号の入力を検出したときは、所定の周期が経過する前に入力された次の入力側垂直同期信号を次の出力側垂直同期信号として出力せず、さらにその次に入力された入力側垂直同期信号を次の出力側垂直同期信号として出力する。
2012120780.tif 000002
【特許請求の範囲】
【請求項１】
映像データ及び前記映像データを表示するための入力側垂直同期信号を入力する映像入力部と、
前記映像入力部に前記入力側垂直同期信号が入力されたことを検出する同期信号検出部と、
前記同期信号検出部の検出結果に基づいて、出力側垂直同期信号を出力する同期信号制御部と、
を備え、
前記同期信号制御部は、
前記同期信号検出部が所定の周期で前記入力側垂直同期信号の入力を検出したときは、入力された前記入力側垂直同期信号を前記出力側垂直同期信号として出力し、
前記出力側垂直同期信号を出力してから前記所定の周期が経過する前に前記同期信号検出部が次の入力側垂直同期信号の入力を検出したときは、前記所定の周期が経過する前に入力された前記次の入力側垂直同期信号を次の出力側垂直同期信号として出力せず、さらにその次に入力された入力側垂直同期信号を前記次の出力側垂直同期信号として出力する
ことを特徴とする映像処理装置。
【請求項２】
前記同期信号制御部は、前記同期信号検出部が、前記出力側垂直同期信号を出力してから前記所定の周期が過ぎても前記次の入力側垂直同期信号の入力を検出しないときは、前記所定の周期が過ぎたときに前記次の出力側垂直同期信号を出力することを特徴とする請求項１に記載の映像処理装置。
【請求項３】
映像データ及び前記映像データを表示するための入力側垂直同期信号を入力する映像入力部と、
前記映像入力部に前記入力側垂直同期信号が入力されたことを検出する同期信号検出部と、
前記同期信号検出部の検出結果に基づいて、出力側垂直同期信号を出力する同期信号制御部と、
を備え、
前記同期信号制御部は、
前記同期信号検出部が所定の周期で前記入力側垂直同期信号の入力を検出したときは、入力された前記入力側垂直同期信号を前記出力側垂直同期信号として出力し、
前記同期信号検出部が、前記出力側垂直同期信号を出力してから前記所定の周期が過ぎても次の入力側垂直同期信号の入力を検出しないときは、前記所定の周期が過ぎたときに次の出力側垂直同期信号を出力する
ことを特徴とする映像処理装置。
【請求項４】
前記同期信号制御部は、前記出力側垂直同期信号を出力してから前記所定の周期が経過する前に前記同期信号検出部が前記次の入力側垂直同期信号の入力を検出したときは、前記次の入力側垂直同期信号を前記次の出力側垂直同期信号として出力せず、前記出力側垂直同期信号を出力してから前記所定の周期が経過する前に前記同期信号検出部がさらに次の入力側垂直同期信号の入力を検出したときは、その後の入力側垂直同期信号の入力に関らず、前記出力側垂直同期信号を出力してから前記所定の周期が経過するまでは、前記次の出力側垂直同期信号を出力せず、前記出力側垂直同期信号を出力してから前記所定の周期が経過した後に、前記次の出力側垂直同期信号を出力することを特徴とする請求項３に記載の映像処理装置。
【請求項５】
映像データ及び前記映像データを表示するための入力側垂直同期信号を入力する映像入力部と、
前記映像入力部に前記入力側垂直同期信号が入力されたことを検出する同期信号検出部と、
前記同期信号検出部の検出結果に基づいて、出力側垂直同期信号を出力する同期信号制御部と、
を備え、
前記同期信号制御部は、
前記同期信号検出部が所定の周期で前記入力側垂直同期信号の入力を検出したときは、入力された前記入力側垂直同期信号を前記出力側垂直同期信号として出力し、
前記出力側垂直同期信号を出力してから前記所定の周期が経過する前に前記同期信号検出部が次の入力側垂直同期信号の入力を検出したときは、前記次の入力側垂直同期信号を次の出力側垂直同期信号として出力せず、前記出力側垂直同期信号を出力してから前記所定の周期が経過する前に前記同期信号検出部がさらに次の入力側垂直同期信号の入力を検出したときは、その後の入力側垂直同期信号の入力に関らず、前記出力側垂直同期信号を出力してから前記所定の周期が経過するまでは、前記次の出力側垂直同期信号を出力せず、前記出力側垂直同期信号を出力してから前記所定の周期が経過した後に、前記次の出力側垂直同期信号を出力することを特徴とする映像処理装置。
【請求項６】
前記映像入力部に入力された前記映像データを入力するとともに、前記同期信号制御部から出力された前記出力側垂直同期信号を用いて前記映像データを処理して、前記映像データを表示するための表示データを生成する映像処理部をさらに備えたことを特徴とする請求項１ないし５のいずれか一項に記載の映像処理装置。
【請求項７】
前記同期信号制御部から出力された前記出力側垂直同期信号に基づく通信タイミング信号を用いて、前記映像処理部における映像処理を制御するための通信を行う通信制御部をさらに備えたことを特徴とする請求項６に記載の映像処理装置。
【請求項８】
請求項６又は７に記載の映像処理装置と、
前記映像処理部にて生成された前記表示データを表示するディスプレイと、
を備えたことを特徴とする映像表示装置。
【請求項９】
請求項７に記載の映像処理装置と、
前記通信制御部と通信をし、前記通信制御部に前記映像処理部における映像処理を制御するための制御データを送信するマイコンとを備えたことを特徴とする映像表示装置。
【請求項１０】
映像データ及び前記映像データを表示するための入力側垂直同期信号を入力する映像入力ステップと、
前記入力側垂直同期信号が入力されたことを検出する同期信号検出ステップと、
前記同期信号検出ステップにて所定の周期で前記入力側垂直同期信号の入力を検出した場合に、入力された前記入力側垂直同期信号を出力側垂直同期信号として出力するステップと、
前記出力側垂直同期信号を出力してから前記所定の周期が経過する前に前記同期信号検出ステップにて次の入力側垂直同期信号の入力を検出した場合に、前記次の入力側垂直同期信号を次の出力側垂直同期信号として出力せず、さらにその次に入力された入力側垂直同期信号を前記次の出力側垂直同期信号として出力するステップと、
前記同期信号検出ステップにて、前記出力側垂直同期信号を出力してから前記所定の周期が過ぎても前記入力側垂直同期信号の入力を検出しない場合に、前記所定の周期が過ぎたときに前記次の出力側垂直同期信号を出力するステップと、
を含むことを特徴とする同期信号出力方法。
【請求項１１】
映像データ及び前記映像データを表示するための入力側垂直同期信号を入力する映像入力ステップと、
前記入力側垂直同期信号が入力されたことを検出する同期信号検出ステップと、
前記同期信号検出ステップにて所定の周期で前記入力側垂直同期信号の入力を検出した場合に、入力された前記入力側垂直同期信号を出力側垂直同期信号として出力するステップと、
前記出力側垂直同期信号を出力してから前記所定の周期が経過する前に前記同期信号検出ステップにて次の入力側垂直同期信号の入力を検出したときは、前記次の入力側垂直同期信号を次の出力側垂直同期信号として出力せず、前記出力側垂直同期信号を出力してから前記所定の周期が経過する前に前記同期信号検出ステップにてさらに次の入力側垂直同期信号の入力を検出したときは、その後の入力側垂直同期信号の入力に関らず、前記出力側垂直同期信号を出力してから前記所定の周期が経過するまでは、前記次の出力側垂直同期信号を出力せず、前記出力側垂直同期信号を出力してから前記所定の周期が経過した後に、前記次の出力側垂直同期信号を出力するステップと、
を含むことを特徴とする同期信号出力方法。
【発明の詳細な説明】
【関連する出願】
【０００１】
本出願では、２０１１年３月１０日に日本国に出願された特許出願番号２０１１−０５２９３４の利益を主張し、当該出願の内容は引用することによりここに組み込まれているものとする。
【技術分野】
【０００２】
本発明は、映像処理装置に関し、具体的には、映像データとともに入力される垂直同期信号を用いて、映像の表示や映像処理を制御するための通信を行なう映像処理装置に関するものである。
【背景技術】
【０００３】
テレビ受像機などの映像表示装置においては、映像をディスプレイに表示するための同期信号を用いて、映像処理を行うための動作基準信号とするものが知られている。しかしながら、映像の入力源の切替え（例えば、記録媒体再生装置からの入力とテレビチューナからの入力との間の切替え）、解像度の切替え、映像方式の切替え（ＮＴＳＣ方式とＰＡＬ方式との間の切替え）等によって、同期信号が乱れることがある。このような同期信号の乱れが発生すると、映像処理が適切に行えなくなり、ディスプレイでの表示も乱れてしまう。【０００４】
また、映像処理部における映像処理を制御するための制御データをマイコンから取り込んで、映像処理に用いる映像表示装置があるが、この場合には、映像処理ＩＣとマイコンとの間では、映像の同期信号を用いて通信タイミング信号を生成して通信を行なっているので、同期信号が乱れることで、マイコンとの通信が不安定になるという問題がある。この問題に対して、映像信号が入力されない場合に、それを検出して自走で通信タイミング信号を生成することで、映像信号が入力されない場合にも確実に映像処理を制御するための通信を行うことが可能な映像処理装置が提案されている（例えば、特許文献１参照）。
【先行技術文献】
【特許文献】
【０００５】
【特許文献１】特開２０１１−４１０７号公報
【発明の概要】
【発明が解決しようとする課題】
【０００６】
しかしながら、上記の従来の映像処理装置では、入力された映像信号を検出することで映像信号入力の有無を判定し、その結果を反映することでマイコンとの通信を継続させるところ、映像信号の入力の有無の検出には一定の時間が必要なため、映像信号が入力されなくなった直後や、正常な状態から入力異常の状態に変化した直後は、自走の通信タイミング信号も生成されず、マイコンとの通信が乱れてしまうという問題がある。【０００７】
図１２は、上記の従来の映像処理装置による入力される垂直同期信号と出力される通信タイミング信号との関係を示すタイムチャートである。図１２では、通信タイミング信号が、入力側垂直同期信号と同じタイミングで立ち下がる例を示している。図１２において、「ＩＮＰＥＲＲ」は、入力エラー信号、即ち、入力が乱れたことをマイコンが認識した場合にマイコンから出力される信号である。マイコンは、入力エラーが存在する期間を予測して、入力エラー信号を立ち下げる。【０００８】
図１２において、映像信号が正常に入力されている場合は、その映像の垂直同期信号に基づいて、通信タイミング信号が生成され、従って通信タイミング信号は映像の垂直同期信号と同じ周期で立ち下がる。このとき、自走の垂直同期信号は、入力される垂直同期信号とは関係ないタイミングで生成されているが、通信タイミング信号の生成には採用されない。【０００９】
時刻ｔ１で入力される映像信号が乱れると、映像処理装置は、入力される垂直同期信号の立下りを待って、時刻ｔ２にタイムアウトすると、そこから自走の垂直同期信号を採用して、通信タイミング信号を生成する。そして、入力エラー信号が立ち下がるまで自走を続け、時刻ｔ３に入力エラー信号が立ち下がると、自走の垂直同期信号の立下りを待って、時刻ｔ４にて自走の垂直同期信号が立ち下がると、その立下りは採用せずに、再び入力される垂直同期信号を採用して通信タイミング信号を生成する。時刻ｔ５では垂直同期信号が立ち下がるので、通信タイミング信号はこれに伴って立ち下がる。【００１０】
この図１２からも明らかなように、入力される映像信号が乱れ始めた時刻ｔ１からそれが検出されるまでの時刻ｔ２までの間は、入力される映像信号の乱れに応じて、通信タイミング信号も乱れることになる。【００１１】
この入力される映像信号が乱れ始めた時刻ｔ１からそれが検出されるまでの時刻ｔ２までの間は、即ち、入力される映像信号が乱れ始めてから入力エラー信号が出力されるまでの時間である。上記の従来の映像処理装置では、映像信号が時刻ｔ１にて乱れ始めると、垂直同期信号が、映像入力部から、映像検出部、通信タイミング生成部、通信制御部を経てマイコンに渡されて、マイコンにて割り込みで垂直同期信号を検出して時刻ｔ２において入力エラー信号を立ち上げるので、映像処理ＩＣに映像の乱れを通知するのに時刻ｔ２−時刻ｔ１のタイムロスが生じる。その結果、時刻ｔ１から時刻ｔ２までの間は、図１２に示すように映像が乱れてしまう。【００１２】
また、上記の従来の映像処理装置では、入力される映像の垂直同期信号が乱れた場合にも自走の垂直同期信号による映像表示は行なっておらず、入力される映像の垂直同期信号が乱れた場合には表示が乱れてしまう。【００１３】
本発明は、上記の問題点に鑑みてなされたものであり、入力される垂直同期信号の乱れによる影響を軽減できる映像処理装置を提供することを目的とする。
【課題を解決するための手段】
【００１４】
上記従来の課題を解決するために、本発明の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、同期信号検出部が所定の周期で入力側垂直同期信号の入力を検出したときは、入力された入力側垂直同期信号を出力側垂直同期信号として出力し、出力側垂直同期信号を出力してから所定の周期が経過する前に同期信号検出部が次の入力側垂直同期信号の入力を検出したときは、所定の周期が経過する前に入力された次の入力側垂直同期信号を次の出力側垂直同期信号として出力せず、さらにその次に入力された入力側垂直同期信号を次の出力側垂直同期信号として出力する構成を有している。【００１５】
本発明の別の態様の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、同期信号検出部が所定の周期で入力側垂直同期信号の入力を検出したときは、入力された入力側垂直同期信号を出力側垂直同期信号として出力し、同期信号検出部が、出力側垂直同期信号を出力してから所定の周期が過ぎても次の入力側垂直同期信号の入力を検出しないときは、所定の周期が過ぎたときに次の出力側垂直同期信号を出力する構成を有している。【００１６】
本発明の更に別の態様の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、  同期信号検出部が所定の周期で入力側垂直同期信号の入力を検出したときは、入力された入力側垂直同期信号を出力側垂直同期信号として出力し、出力側垂直同期信号を出力してから所定の周期が経過する前に同期信号検出部が次の入力側垂直同期信号の入力を検出したときは、次の入力側垂直同期信号を次の出力側垂直同期信号として出力せず、出力側垂直同期信号を出力してから所定の周期が経過する前に同期信号検出部がさらに次の入力側垂直同期信号の入力を検出したときは、その後の入力側垂直同期信号の入力に関らず、出力側垂直同期信号を出力してから所定の周期が経過するまでは、次の出力側垂直同期信号を出力せず、出力側垂直同期信号を出力してから所定の周期が経過した後に、次の出力側垂直同期信号を出力する。【００１７】
本発明の映像表示装置は、映像処理部をさらに備えた上記の映像処理装置と、映像処理部にて生成された表示データを表示するディスプレイとを備えた構成を有している。【００１８】
本発明の別の態様の映像表示装置は、通信制御部と通信をし、通信制御部に映像処理部における映像処理を制御するための制御データを送信するマイコンとを備えた構成を有している。【００１９】
本発明の同期信号出力方法は、映像データ及び映像データを表示するための入力側垂直同期信号を入力する映像入力ステップと、入力側垂直同期信号が入力されたことを検出する同期信号検出ステップと、同期信号検出ステップにて所定の周期で入力側垂直同期信号の入力を検出した場合に、入力された入力側垂直同期信号を出力側垂直同期信号として出力するステップと、出力側垂直同期信号を出力してから所定の周期が経過する前に同期信号検出ステップにて次の入力側垂直同期信号の入力を検出した場合に、次の入力側垂直同期信号を次の出力側垂直同期信号として出力せず、さらにその次に入力された入力側垂直同期信号を次の出力側垂直同期信号として出力するステップと、同期信号検出ステップにて、出力側垂直同期信号を出力してから所定の周期が過ぎても入力側垂直同期信号の入力を検出しない場合に、次の出力側垂直同期信号を出力するステップとを含んでいる。
【発明の効果】
【００２０】
本発明によれば、入力される垂直同期信号の乱れによる影響を軽減することができる。【００２１】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００２２】
【図１】図１は、本発明の実施の形態における映像処理装置の構成を示すブロック図
【図２】図２は、本発明の実施の形態における映像処理の設定値の動的制御の処理を示すフローチャート
【図３】図３は、本発明の実施の形態における映像処理ＩＣによる出力側垂直同期信号の出力処理のフローチャート
【図４】図４は、本発明の実施の形態における入力側垂直同期信号が正常に入力される場合のタイムチャート
【図５】図５は、本発明の実施の形態における入力側垂直同期信号が入力された後にその周期を待たずに次の新たな入力側垂直同期信号が入力される場合のタイムチャート
【図６】図６は、本発明の実施の形態における入力側垂直同期信号が入力された後その周期を過ぎても次の新たな入力側垂直同期信号が入力されない場合のタイムチャート
【図７】図７は、本発明の実施の形態の第１の変形例における映像処理ＩＣによる出力側垂直同期信号の出力処理のフローチャート
【図８】図８は、本発明の実施の形態の第２の変形例における映像処理ＩＣによる出力側垂直同期信号の出力処理のフローチャート
【図９】図９は、本発明の実施の形態の第３の変形例における映像処理ＩＣによる出力側垂直同期信号の出力処理のフローチャート
【図１０】図１０は、本発明の実施の形態の第３の変形例における入力側垂直同期信号が乱れる場合のタイムチャート
【図１１】図１１は、本発明の実施の形態の第４の変形例における映像処理ＩＣによる出力側垂直同期信号の出力処理のフローチャート
【図１２】図１２は、従来の映像処理装置における入力される垂直同期信号と出力される通信タイミング信号との関係を示すタイムチャート
【発明を実施するための形態】
【００２３】
以下に、本発明の詳細な説明を述べる。以下に説明する実施の形態は本発明の単なる例であり、本発明は様々な態様に変形することができる。従って、以下に開示する特定の構成および機能は、特許請求の範囲を限定するものではない。
【００２４】
本発明の実施の形態の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、同期信号検出部が所定の周期で入力側垂直同期信号の入力を検出したときは、入力された入力側垂直同期信号を出力側垂直同期信号として出力し、出力側垂直同期信号を出力してから所定の周期が経過する前に同期信号検出部が次の入力側垂直同期信号の入力を検出したときは、所定の周期が経過する前に入力された次の入力側垂直同期信号を次の出力側垂直同期信号として出力せず、さらにその次に入力された入力側垂直同期信号を次の出力側垂直同期信号として出力する構成を有している。
【００２５】
この構成により、本来の周期よりも早く入力側垂直同期信号が入力された場合には、それをそのまま出力側垂直同期信号として出力はせずに、次の入力側垂直同期信号の入力を待って、それを出力側垂直同期信号として出力するので、映像表示期間に出力側垂直同期信号が出力されることで映像が乱れることを防止でき、映像を安定して表示できるとともに、この出力側垂直同期信号を使って通信を行う場合にも、その通信を安定させることができる。
【００２６】
また、上記の映像処理装置において、同期信号制御部は、同期信号検出部が、出力側垂直同期信号を出力してから所定の周期が過ぎても次の入力側垂直同期信号の入力を検出しないときは、所定の周期が過ぎたときに次の出力側垂直同期信号を出力してよい。
【００２７】
この構成により、本来の周期を過ぎても次の入力側垂直同期信号が入力されない場合には、同期信号制御部が自ら出力側垂直同期信号を生成して出力するので、映像を安定して表示できるとともに、この出力側垂直同期信号を使って通信を行う場合にもその通信を安定させることができる。
【００２８】
別の態様の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、同期信号検出部が所定の周期で入力側垂直同期信号の入力を検出したときは、入力された入力側垂直同期信号を出力側垂直同期信号として出力し、同期信号検出部が、出力側垂直同期信号を出力してから所定の周期が過ぎても次の入力側垂直同期信号の入力を検出しないときは、所定の周期が過ぎたときに次の出力側垂直同期信号を出力する構成を有している。
【００２９】
この構成により、本来の周期を過ぎても次の入力側垂直同期信号が入力されない場合には、同期信号制御部が自ら出力側垂直同期信号を生成して出力するので、映像を安定して表示できるとともに、この出力側垂直同期信号を使って通信を行う場合にもその通信を安定させることができる。
【００３０】
上記の映像処理装置において、同期信号制御部は、出力側垂直同期信号を出力してから所定の周期が経過する前に同期信号検出部が次の入力側垂直同期信号の入力を検出したときは、次の入力側垂直同期信号を次の出力側垂直同期信号として出力せず、出力側垂直同期信号を出力してから所定の周期が経過する前に同期信号検出部がさらに次の入力側垂直同期信号の入力を検出したときは、その後の入力側垂直同期信号の入力に関らず、出力側垂直同期信号を出力してから所定の周期が経過するまでは次の出力側垂直同期信号を出力せず、出力側垂直同期信号を出力してから所定の周期が経過した後に、次の出力側垂直同期信号を出力してよい。
【００３１】
この構成により、入力側垂直同期信号が乱れることで、出力側垂直同期信号を出力してから所定の周期が経過する前に２回以上の入力側垂直同期信号の入力が検出された場合には、それらの入力側垂直同期信号は無視して、出力側垂直同期信号を出力してから所定の周期が経過したときに同期信号制御部が自ら出力側垂直同期信号を生成して出力するので、入力側垂直同期信号が乱れた場合にも、映像を安定して表示できるとともに、この出力側垂直同期信号を使って通信を行う場合にその通信を安定させることができる。
【００３２】
また、更に別の態様の映像処理装置は、映像データ及び映像データを表示するための入力側垂直同期信号を入力する映像入力部と、映像入力部に入力側垂直同期信号が入力されたことを検出する同期信号検出部と、同期信号検出部の検出結果に基づいて、出力側垂直同期信号を出力する同期信号制御部とを備え、同期信号制御部は、同期信号検出部が所定の周期で入力側垂直同期信号の入力を検出したときは、入力された入力側垂直同期信号を出力側垂直同期信号として出力し、出力側垂直同期信号を出力してから所定の周期が経過する前に同期信号検出部が次の入力側垂直同期信号の入力を検出したときは、次の入力側垂直同期信号を次の出力側垂直同期信号として出力せず、出力側垂直同期信号を出力してから所定の周期が経過する前に同期信号検出部がさらに次の入力側垂直同期信号の入力を検出したときは、その後の入力側垂直同期信号の入力に関らず、出力側垂直同期信号を出力してから所定の周期が経過するまでは、次の出力側垂直同期信号を出力せず、出力側垂直同期信号を出力してから所定の周期が経過した後に、次の出力側垂直同期信号を出力する。
【００３３】
この構成により、入力側垂直同期信号が乱れることで、出力側垂直同期信号を出力してから所定の周期が経過する前に２回以上の入力側垂直同期信号の入力が検出された場合には、それらの入力側垂直同期信号は無視して、出力側垂直同期信号を出力してから所定の周期が経過したときに同期信号制御部が自ら出力側垂直同期信号を生成して出力するので、入力側垂直同期信号が乱れた場合にも、映像を安定して表示できるとともに、この出力側垂直同期信号を使って通信を行う場合にその通信を安定させることができる。
【００３４】
上記の映像処理装置は、映像入力部に入力された映像データを入力するとともに、同期信号制御部から出力された出力側垂直同期信号を用いて映像データを処理して、映像データを表示するための表示データを生成する映像処理部をさらに備えた構成を有している。
【００３５】
この構成により、入力側垂直同期信号が本来の周期より早く入力される場合、入力側垂直同期信号が本来の周期を過ぎても入力されない場合、及び／又は入力側垂直同期信号が乱れる場合であっても、同期信号制御部が出力する出力側垂直同期信号を用いて映像データを処理することで、表示の乱れが軽減された表示データを生成できる。
【００３６】
上記の映像処理装置は、同期信号制御部から出力された出力側垂直同期信号に基づく通信タイミング信号を用いて、映像処理部における映像処理を制御するための通信を行う通信制御部をさらに備えた構成を有している。
【００３７】
この構成により、入力側垂直同期信号が本来の周期より早く入力される場合、入力側垂直同期信号が本来の周期を過ぎても入力されない場合、及び／又は入力側垂直同期信号が乱れる場合であっても、同期信号制御部が出力する出力側垂直同期信号に基づく通信タイミング信号を用いることで、通信制御部による通信を安定させることができる。
【００３８】
本発明の実施の形態の映像表示装置は、映像処理部をさらに備えた上記の映像処理装置と、映像処理部にて生成された表示データを表示するディスプレイとを備えた構成を有している。
【００３９】
この構成により、入力側垂直同期信号の乱れによる映像表示への影響を軽減できる。
【００４０】
別の態様の映像表示装置は、通信制御部と通信をし、通信制御部に映像処理部における映像処理を制御するための制御データを送信するマイコンとを備えた構成を有している。
【００４１】
この構成により、映像処理部において処理に用いる制御値を、マイコンにて映像の特徴に応じて動的に設定することができ、このとき、入力側垂直同期信号の乱れによる映像処理装置とマイコンとの間の通信への影響を軽減できる。
【００４２】
本発明の実施の形態の同期信号出力方法は、映像データ及び映像データを表示するための入力側垂直同期信号を入力する映像入力ステップと、入力側垂直同期信号が入力されたことを検出する同期信号検出ステップと、同期信号検出ステップにて所定の周期で入力側垂直同期信号の入力を検出した場合に、入力され入力側垂直同期信号を出力側垂直同期信号として出力するステップと、出力側垂直同期信号を出力してから所定の周期が経過する前に同期信号検出ステップにて次の入力側垂直同期信号の入力を検出した場合に、次の入力側垂直同期信号を次の出力側垂直同期信号として出力せず、さらにその次に入力された入力側垂直同期信号を次の出力側垂直同期信号として出力するステップと、同期信号検出ステップにて、出力側垂直同期信号を出力してから所定の周期が過ぎても入力側垂直同期信号の入力を検出しない場合に、次の出力側垂直同期信号を出力するステップとを含んでいる。
【００４３】
この構成によっても、本来の周期よりも早く入力側垂直同期信号が入力された場合には、それをそのまま出力側垂直同期信号として出力はせずに、次の入力側垂直同期信号の入力を待って、それを出力側垂直同期信号として出力するので、映像表示期間に出力側垂直同期信号が出力されることで映像が乱れることを防止できるとともに、本来の周期を過ぎても次の入力側垂直同期信号が入力されない場合には、同期信号制御部が自ら出力側垂直同期信号を生成して出力することができる。よって、映像を安定して表示できるとともに、この出力側垂直同期信号を使って通信を行う場合にもその通信を安定させることができる。
【００４４】
以下、本発明の実施の形態を、図面を参照しながら説明する。なお、本明細書の実施の形態では、信号がハイとローによって情報を伝えるものであり、かつこの信号が入力されている場合において、信号がハイからローに立ち下がることを信号が「入力される」と表現することがある。また、信号がハイとローによって情報を伝えるものであり、かつこの信号を出力している場合において、信号ハイからローに立ち下がることをこの信号を「出力する」と表現することがある。なお、入力されている信号がローからハイに立ち上がることをその信号が「入力される」と表現してもよく、また、出力している信号がローからハイに立ち上がることをその信号を「出力する」と表現してもよい。
【００４５】
図１は、本発明の実施の形態の映像表示装置の構成を示すブロック図である。本実施の形態の映像表示装置１００は、映像処理ＩＣ１０と、マイコン２０と、ディスプレイ３０とを備えている。映像処理ＩＣ１０が本発明の映像処理装置に該当する。映像処理ＩＣ１０は、ＤＶＤプレーヤやテレビチューナなど、外部から入力される映像信号に対して、画質調整などの各種信号処理を行って、ディスプレイ３０で映像を表示するための表示データを出力するＩＣである。映像処理ＩＣ１０は、映像入力部１１と、同期信号検出部１２と、映像処理部１３と、通信制御部１４と、同期信号制御部１５を備えている。
【００４６】
映像入力部１１は、アナログ形式又はデジタル形式の映像信号を受信する。映像信号は、１フレームずつ入力され、１フレームの映像信号には、１フレーム分の映像データと垂直同期信号が含まれる。以下、映像入力部１１に入力される垂直同期信号を「入力側垂直同期信号」ともいう。なお、入力される映像信号がアナログ形式である場合には、映像入力部１１はＡＤＣ（Ａｎａｌｏｇ−Ｄｉｇｉｔａｌ  Ｃｏｎｖｅｒｔｅｒ）となる。また、入力される映像信号が、例えば、ＨＤＭＩのようなシリアライズされたデジタル形式の映像信号である場合には、映像入力部１１はシリアル−パラレル変換を行う。映像入力部１１に入力された映像信号のうちの映像データは、映像処理部１３に出力され、入力側垂直同期信号は、同期信号検出部１２に出力される。
【００４７】
同期信号検出部１２は、映像入力部１１にて入力側垂直同期信号を入力したか否かを検出する。映像処理部１３は、映像入力部１１から入力された映像データに対して各種の映像信号処理を行う。映像処理部１３は、同期信号制御部１５から出力される垂直同期信号が動作基準信号として用いて映像信号処理を行う。映像信号処理としては、例えば、映像の白と黒の明暗を変化させるためのコントラスト制御や画面全体の明るさを変化させるためのブライト制御、映像の色の濃さを変化させるためのカラーゲイン制御などがある。これらの制御を行うための設定値は、通信制御部１４に備えられているレジスタに書き込まれた値を用いる。
【００４８】
なお、映像処理部１３において実施される映像処理は、映像シーンの特徴に関わらず一定の設定値で動作してもよいし（静的制御）、映像シーンの特徴に応じて、例えば、フレームごとに動的に設定値を変化させてもよい（動的制御）。
【００４９】
図２は、設定値の動的制御の処理を示すフローチャートである。設定値の動的制御は図２に示す手順で行う。ここでは、映像の特徴に応じて、動的にコントラストを制御するものとして説明を行う。
【００５０】
まず、映像処理部１３において、該当フレームにおける映像の特徴量を検出する（ステップＳ２１）。映像の特徴量としては、例えば、映像信号の最大輝度／最小輝度、平均輝度、輝度ヒストグラムなどがある。次に、映像処理部１３は検出した特徴量を通信制御部１１４に備えられるレジスタの該当番地に書き込む（ステップＳ２２）。
【００５１】
マイコン１２は、通信制御部１４のレジスタに書き込まれた特徴量を読み込み（ステップＳ２３）、映像の特徴量に応じて最適なコントラスト制御値を算出する（ステップＳ２４）。そして、算出したコントラスト制御値を通信制御部１４の該当レジスタに書き込む（ステップＳ２５）。そして、映像処理部１３は、レジスタに書き込まれたコントラスト制御値に基づき、映像データに対してコントラスト制御を行う（ステップＳ２６）。
【００５２】
以上のような処理をフレームごとに行うことによって動的にコントラスト制御を行うことが可能になり、映像の特徴に応じて最適なコントラストに制御することが可能になる。通信制御部１４は、マイコン２０と接続されており、マイコン２０との通信の制御を行う。通信制御部１４は、同期信号制御部１５から出力される垂直同期信号を通信タイミング信号として用いて、マイコン２０との通信の制御を行う。通信制御部１４はデータを保持するためのレジスタを備えており、マイコン２０から送信されたデータはレジスタの該当アドレスに保持される。また、マイコン２０は、通信制御部１４を介して、レジスタの所定アドレスのデータを読み込むことも可能である。
【００５３】
同期信号制御部１５は、映像処理部１３及び通信制御部１４に対して、垂直同期信号を出力する。以下、同期信号制御部１５が出力する垂直同期信号を「出力側垂直同期信号」ともいう。同期信号制御部１５による出力側垂直同期信号の出力処理については、後述する。
【００５４】
マイコン２０は、通信制御部１４を介して、映像処理ＩＣ１０に対して映像処理の設定値の書き込みや、映像特徴量の読み込みを行う。映像処理ＩＣ１０とマイコン２０の間の通信には、例えばＩ２Ｃ（Ｉｎｔｅｒ−Ｉｎｔｅｇｒａｔｅｄ  Ｃｉｒｃｕｉｔ）などのシリアル通信を用いる。
【００５５】
ディスプレイ３０は、映像処理ＩＣ１０から供給された表示データを映像として表示するデバイスであり、液晶、ＣＲＴ（Ｃａｔｈｏｄｅ  Ｒａｙ  Ｔｕｂｅ）、有機ＥＬ（Ｅｌｅｃｔｒｏ−Ｌｕｍｉｎｅｓｅｎｃｅ）、プラズマなどのディスプレイや、スクリーンに映像を映すプロジェクタ、ヘッドアップディスプレイなどのうち、いずれか１つ以上により構成される。
【００５６】
次に、同期信号制御部１５による出力側垂直同期信号の出力処理について説明する。まず、図３及び図４を参照して、入力側垂直同期信号が正常に入力される場合の処理について説明する。図３は、映像処理ＩＣ１０による出力側垂直同期信号の出力処理のフローチャートであり、図４は、入力側垂直同期信号が正常に入力される場合のタイムチャートである。
【００５７】
本実施の形態では、入力される映像信号のフレームレートが６０Ｈｚであり、従って入力側垂直同期信号も６０Ｈｚで入力される例を説明する。その場合の入力側垂直同期信号の周期は１６．６ミリ秒となる。また、映像信号は、４８０ラインあるものとする。本実施の形態では、図３に示すように、ラインカウンタが入力側垂直同期信号によって０にリセットされて、３０ラインから５０９ラインまでの４８０ラインの映像表示期間に映像データが入力される。また、図３に示すように、正常な場合の入力側垂直同期信号の周期１６．６ミリ秒は、ラインカウンタで５２５ラインをカウントする時間に相当する。
【００５８】
処理がスタートすると、同期信号検出部１２は、入力側垂直同期信号の立下りを待つ（ステップＳ３１）。同期信号検出部１２が入力側垂直同期信号の立下りを検出すると（ステップＳ３１にてＹＥＳ）、同期信号制御部１５は、カウンタを０にリセットして、入力された入力側垂直同期信号を映像処理部１３及び通信制御部１４にそのまま出力する（ステップＳ３２）。次に、同期信号制御部１５は、出力側垂直同期信号を出力してから１６．５ミリ秒経過したか否かを判断する（ステップＳ３３）。
【００５９】
上述のように、本実施の形態では、入力側垂直同期信号は６０Ｈｚで入力され、その周期は１６．６ミリ秒となる。そこで、本実施の形態では、本来の周期より早く次の入力側垂直同期信号が入力されなかったかを確認するために、同期信号制御部１５は、出力側垂直同期信号を出力してから１６．５ミリ秒が経過するまで（ステップＳ３３にてＮＯ）、入力側垂直同期信号の立下りがあるか否かを判断する（ステップＳ３４）。
【００６０】
通常よりも早い次の入力側垂直同期信号の立下りがなく（ステップＳ３４にてＮＯ）、出力側垂直同期信号を出力してから１６．５ミリ秒が経過したときは（ステップＳ３３にてＮＯ、ステップＳ３４にてＮＯを繰り返して、ステップＳ３３にてＹＥＳ）、ステップＳ３５に移行して、同期信号制御部１５は、入力側垂直同期信号の立下りがあるか否かを判断する。入力側垂直同期信号の立下りがない場合には（ステップＳ３５にてＮＯ）、同期信号制御部１５は、出力側垂直同期信号を出力してから１６．８ミリ秒が経過したかを判断する（ステップＳ３６）。同期信号制御部１５は、出力側垂直同期信号を出力してから１６．８ミリ秒が経過するまでは（ステップＳ３６にてＮＯ）、ステップＳ３５に戻って、入力側垂直同期信号の立下りがあるか否かを判断する。
【００６１】
入力側垂直同期信号が正常に入力される場合には、出力側垂直同期信号を出力してから１６．８ミリ秒が経過する前に（ステップＳ３６にてＹＥＳとなることなく）、同期信号検出部１２にて入力側垂直同期信号の立下りが検出される（ステップＳ３５にてＹＥＳ）。この場合には、ステップＳ３２に戻って、同期信号制御部１５は、この検出された入力側垂直同期信号をそのまま出力側垂直同期信号として映像処理部１３及び通信制御部１４に出力する。以下、入力側垂直同期信号が正常に入力され続ける間は、上記と同様に、ステップＳ３３とステップＳ３４とを繰り返して、ステップＳ３３にてＹＥＳとなったときにステップＳ３５に移行し、ステップＳ３５とステップＳ３６とを繰り返して、ステップＳ３５にてＹＥＳとなったときに、ステップＳ３２に戻るという処理が繰り返される。
【００６２】
次に、図３及び図５を参照して、入力側垂直同期信号が入力された後にその周期を待たずに次の新たな入力側垂直同期信号が入力される場合の処理について説明する。図５は、入力側垂直同期信号が入力された後にその周期を待たずに次の新たな入力側垂直同期信号が入力される場合のタイムチャートである。このような状況は、例えば、映像信号の入力源が切り替わったり、映像方式が切り替わったりした瞬間に起こりうる。
【００６３】
入力側垂直同期信号が正常に入力される状況では、上述のように、ステップＳ３２からステップＳ３６が繰り返される。そこに、本来の周期より早い入力側垂直同期信号が入力されると、ステップＳ３３では、出力側垂直同期信号を出力してから１６．５ミリ秒が経過する前に（ステップＳ３３にてＮＯ）、同期信号検出部１２にて入力側垂直同期信号の立下りが検出される（ステップＳ３４にてＹＥＳ）。この場合は、同期信号制御部１５は、出力側垂直同期信号をハイに維持して、ステップＳ３１に移行して、次の新たな入力側垂直同期信号の立下りを待つ。同期信号検出部１２にて新たな入力側垂直同期信号が検出されると（ステップＳ３１にてＹＥＳ）、同期信号制御部１５は、カウンタを０にリセットして、上記と同様にしてステップＳ３２からステップＳ３５を繰り返す。
【００６４】
このようにすることで、出力側垂直同期信号を出力してから１６．５ミリ秒が経過する前に新たな入力側垂直同期信号の入力があった場合にも、同期信号制御部１５は、それを無視し、出力側垂直同期信号を出力してから１６．６ミリ秒が過ぎても（ラインカウンタが５２５を過ぎても）次の入力側垂直同期信号の入力があるまでは、出力側垂直同期信号をハイに維持する。これにより、映像表示期間で出力側垂直同期信号が立ち下がることがなく、表示の乱れが生じず、表示が安定する。また、通信制御部１４が出力側垂直同期信号を使ってマイコンとの通信を制御する場合にも、その通信の安定が保たれる。
【００６５】
次に、図３及び図６を参照して、入力側垂直同期信号が入力された後、その周期を過ぎても次の新たな入力側垂直同期信号が入力されない場合の処理について説明する。図６は、入力側垂直同期信号が入力された後、その周期を過ぎても次の新たな入力側垂直同期信号が入力されない場合のタイムチャートである。入力側垂直同期信号が正常に入力される状況では、上述のように、ステップＳ３２からステップＳ３６が繰り返される。本来の周期（１６．６ミリ秒）を過ぎても入力側垂直同期信号の立下りが検出されず、前の出力側垂直同期信号の出力から１６．８ミリ秒が経過したときは（ステップＳ３６にてＹＥＳ）、同期信号制御部１５は、入力側垂直同期信号に関らず、自ら出力側垂直同期信号を立ち下げて、カウンタを０にリセットする（ステップＳ３７）。
【００６６】
そして、同期信号制御部１５は、垂直同期信号のロー期間が終了したか否かを判断し（ステップＳ３８）、垂直同期信号のロー期間が終了した場合には（ステップＳ３８にてＹＥＳ）、自ら立ち下げた出力側垂直同期信号を立ち上げて（ステップＳ３９）、ステップＳ３３に戻る。なお、同期信号制御部１５が自ら出力側垂直同期信号を立ち下げた後、垂直同期信号のロー期間が終了するまでは（ステップＳ３８にてＮＯ）、その間に同期信号検出部１２にて入力側垂直同期信号の立下りが検出されるか否かを判断し（ステップＳ４０）、入力側垂直同期信号の立下りが検出された場合には（ステップＳ４０にてＹＥＳ）、ステップＳ３２に戻って、検出された入力側垂直同期信号をそのまま出力側垂直同期信号として映像処理部１３及び通信制御部１４に出力する。
【００６７】
以上のように、本実施の形態によれば、本来の周期よりも早く入力側垂直同期信号が入力された場合には、それをそのまま出力せずに次の入力側垂直同期信号を待ってそれを出力するとともに、本来の周期を過ぎても入力側垂直同期信号が入力されない場合には、自ら出力側垂直同期信号を生成するので、映像を安定して表示できるとともに、通信制御部１４が出力側垂直同期信号を使ってマイコン２０との通信の制御を行う場合にもその通信を安定させることができる。
【００６８】
本発明は、上記の実施の形態に限らず、上記で説明した機能の一部のみを持たせたり、付加的な機能を追加したりする変形が可能である。以下では、上記の実施の形態の変形例を説明する。
【００６９】
（第１の変形例）
上記の実施の形態では、出力側垂直同期信号を出力してから１６．８ミリ秒が経過するまでに次の入力側垂直同期信号の立下りがない場合（ステップＳ３６にてＮＯ）の対策として、同期信号制御部１５が、自ら出力側垂直同期信号を立ち下げた。しかし、このように、出力側垂直同期信号の出力から本来の周期を過ぎても次の入力側垂直同期信号が立ち下がらない場合を想定せず、入力側垂直同期信号が本来の周期よりも早く入力される場合のみを想定する場合には、ステップＳ３６以降の処理は不要である。そこで、第１の変形例では、入力側垂直同期信号が本来の周期よりも早く入力される状況への対応が可能な映像処理ＩＣ１０の処理を説明する。
【００７０】
図７は、第１の変形例の映像処理ＩＣ１０による出力側垂直同期信号の出力処理のフローチャートである。図７と図３とを比較して分かるように、第１の変形例の出力側垂直同期信号の出力処理のフローは、上記の実施の形態の出力側垂直同期信号の出力処理のフローのステップＳ３１〜ステップＳ３５に相当するステップのみで構成される。
【００７１】
処理がスタートすると、同期信号検出部１２は、入力側垂直同期信号の立下りを待つ（ステップＳ７１）。同期信号検出部１２が入力側垂直同期信号の立下りを検出すると（ステップＳ７１にてＹＥＳ）、同期信号制御部１５は、カウンタを０にリセットして、入力された入力側垂直同期信号をそのまま出力側垂直同期信号として映像処理部１３及び通信制御部１４に出力する（ステップＳ７２）。次に、同期信号制御部１５は、出力側垂直同期信号を出力してから１６．５ミリ秒が経過したか否かを判断する（ステップＳ７３）。
【００７２】
出力側垂直同期信号を出力してから１６．５ミリ秒が経過するまでは（ステップＳ７３にてＮＯ）、本来の周期より早く次の入力側垂直同期信号が入力されなかったかを確認するために、同期信号制御部１５は、入力側垂直同期信号の立下りがあるか否かを判断する（ステップＳ７４）。
【００７３】
本来の周期よりも早い次の入力側入力同期信号の立下りがなく（ステップＳ７４にてＮＯ）、出力側垂直同期信号を出力してから１６．５ミリ秒が経過したときは（ステップＳ７３にてＮＯ、ステップＳ７４にてＮＯを繰り返して、ステップＳ７３にてＹＥＳ）、ステップＳ７５に移行して、同期信号制御部１５は、入力側垂直同期信号の立下りがあるまで待って（ステップＳ７５にてＮＯを繰り返す）、入力側垂直同期信号の立下りが検出された場合には（ステップＳ７５にてＹＥＳ）、ステップＳ７２に戻って、その入力側垂直同期信号をそのまま出力側垂直同期信号として映像処理部１３及び通信制御部１４に出力する。
【００７４】
本来の周期より早い入力側垂直同期信号が入力されると、出力側垂直同期信号を出力してから１６．５ミリ秒が経過する前に（ステップＳ７３にてＮＯ）、同期信号検出部１２にて入力側垂直同期信号の立下りが検出される（ステップＳ７４にてＹＥＳ）。この場合は、同期信号制御部１５は、出力側垂直同期信号をハイに維持して、ステップＳ７１に移行して、次の新たな入力側垂直同期信号の立下りを待つ。同期信号検出部１２にて新たな入力側垂直同期信号が検出されると（ステップＳ７１にてＹＥＳ）、同期信号制御部１５は、カウンタを０にリセットして、上記と同様にしてステップＳ７２からステップＳ７５を繰り返す。
【００７５】
この第１の変形例によれば、出力側垂直同期信号を出力してから１６．５ミリ秒が経過する前に新たな入力側垂直同期信号の入力があった場合にも、同期信号制御部１５は、それを無視する。即ち、同期信号制御部１５は、出力側垂直同期信号を出力してから１６．６ミリ秒が過ぎたとしも（ラインカウンタが５２５を過ぎても）、次の入力側垂直同期信号の入力があるまでは、出力側垂直同期信号をハイに維持する。これにより、映像表示期間で出力側垂直同期信号が立ち下がることがなく、表示の乱れが生じず、表示が安定する。また、通信制御部１４が出力側垂直同期信号を使ってマイコン２０との通信の制御を行う場合にも、その通信の安定が保たれる。
【００７６】
（第２の変形例）
上記の実施の形態では、出力側垂直同期信号を出力してから１６．５ミリ秒が経過するまでに次の入力側垂直同期信号の立下りが検出された場合（ステップＳ３６にてＮＯ）、即ち、本来の周期よりも早く入力側垂直同期信号が入力された場合の対策として、同期信号制御部１５が、そのような早すぎる入力側垂直同期信号を無視して、次の入力側垂直同期信号が入力されるまで出力側垂直同期信号をハイに維持した。しかし、このように、入力側垂直同期信号が本来の周期よりも早く入力される場合を想定せず、出力側垂直同期信号の出力から本来の周期を過ぎても次の入力側垂直同期信号が立ち下がらない場合のみを想定する場合には、ステップＳ３３及びステップＳ３４の処理は不要である。そこで、第２の変形例では、出力側垂直同期信号の出力から本来の周期を過ぎても次の入力側垂直同期信号の立下りが検出されない状況への対応が可能な映像処理ＩＣ１０の処理を説明する。
【００７７】
図８は、第２の変形例の映像処理ＩＣ１０による出力側垂直同期信号の出力処理のフローチャートである。図８と図３とを比較して分かるように、第２の変形例の出力側垂直同期信号の出力処理のフローは、上記の実施の形態の出力側垂直同期信号の出力処理のフローからステップＳ３３及びステップＳ３４を除いたステップで構成される。
【００７８】
処理がスタートすると、同期信号検出部１２は、入力側垂直同期信号の立下りを待つ（ステップＳ８１）。同期信号検出部１２が入力側垂直同期信号の立下りを検出すると（ステップＳ８１にてＹＥＳ）、同期信号制御部１５は、カウンタを０にリセットして、入力された入力側垂直同期信号をそのまま出力側垂直同期信号として映像処理部１３及び通信制御部１４に出力する（ステップＳ８２）。
【００７９】
次に、同期信号制御部１５は、入力側垂直同期信号の立下りがあるか否かを判断する（ステップＳ８５）。入力側垂直同期信号の立下りがない場合には、同期信号制御部１５は、出力側垂直同期信号を出力してから１６．８ミリ秒が経過したかを判断する（ステップＳ８６）。同期信号制御部１５は、出力側垂直同期信号を出力してから１６．８ミリ秒が経過するまでは（ステップＳ８６にてＮＯ）、ステップＳ８５に戻って、入力側垂直同期信号の立下りがあるか否かを判断する。
【００８０】
入力側垂直同期信号が正常に入力される場合には、出力側垂直同期信号を出力してから１６．８ミリ秒が経過する前に（ステップＳ８６にてＹＥＳとなることなく）、同期信号検出部１２にて入力側垂直同期信号の立下りが検出される（ステップＳ８５にてＹＥＳ）。この場合には、ステップＳ８２に戻って、同期信号制御部１５は、この検出された入力側垂直同期信号をそのまま出力側垂直同期信号として映像処理部１３及び通信制御部１４に出力し、カウンタを０にリセットする。以下、入力側垂直同期信号が正常に入力され続ける間は、上記と同様に、ステップＳ８５とステップＳ３８とを繰り返して、ステップＳ８５にてＹＥＳとなったときにステップＳ８２に戻ってカウンタを０にリセットするという処理が繰り返される。
【００８１】
ステップＳ８２にて入力側垂直同期信号をそのまま出力側垂直同期信号として出力した後、本来の周期（１６．６ミリ秒）を過ぎても入力側垂直同期信号の立下りが検出されず、前の出力側垂直同期信号の出力から１６．８ミリ秒が経過したときは（ステップＳ８６にてＹＥＳ）、同期信号制御部１５は、入力側垂直同期信号に関らず、自ら出力側垂直同期信号を立ち下げて、カウンタを０にリセットする（ステップＳ８７）。
【００８２】
そして、同期信号制御部１５は、垂直同期信号のロー期間が終了したか否かを判断し（ステップＳ８８）、垂直同期信号のロー期間が終了した場合には（ステップＳ８８にてＹＥＳ）、自ら立ち下げた出力側垂直同期信号を立ち上げて（ステップＳ８９）、ステップＳ８５に戻る。なお、同期信号制御部１５が自ら出力側垂直同期信号を立ち下げた後、垂直同期信号のロー期間が終了するまでは（ステップＳ８８にてＮＯ）、その間に同期信号検出部１２にて入力側垂直同期信号の立下りが検出されるか否かを判断し（ステップＳ９０）、入力側垂直同期信号の立下りが検出された場合には（ステップＳ９０にてＹＥＳ）、ステップＳ８２に戻って、検出された入力側垂直同期信号をそのまま出力側垂直同期信号として映像処理部１３及び通信制御部１４に出力する。
【００８３】
この第２の変形例によれば、本来の周期を過ぎても入力側垂直同期信号が入力されない場合には、同期信号制御部１５が自ら出力側垂直同期信号を生成するので、ディスプレイ３０にて映像を安定して表示できるとともに、通信制御部１４が出力側垂直同期信号を使ってマイコン２０との通信の制御を行う場合にもその通信を安定させることができる。
【００８４】
（第３の変形例）
第３の変形例は、第１の変形例に機能を追加したものである。上記の実施の形態及びその第１の変形例では、入力側垂直同期信号が本来の周期よりも早く入力された場合に適切に対応することが可能であったが、第３の変形例では、さらに、入力側垂直同期信号が乱れる場合（例えば、入力側垂直同期信号がハイとローを激しく繰り返す場合）にも適切に対応が可能である。
【００８５】
図９は、第３の変形例の映像処理ＩＣ１０による出力側垂直同期信号の出力処理のフローチャートである。図１０は、入力側垂直同期信号が乱れる場合のタイムチャートである。図９と図７とを比較して分かるように、第３の変形例の出力側垂直同期信号の出力処理のフローは、第１の変形例の出力側垂直同期信号の出力処理のフローに、ステップＳ１０１〜ステップＳ１０６のフローが追加されて構成されている。
【００８６】
処理がスタートすると、同期信号検出部１２は、入力側垂直同期信号の立下りを待つ（ステップＳ９１）。同期信号検出部１２が入力側垂直同期信号の立下りを検出すると（ステップＳ９１にてＹＥＳ）、同期信号制御部１５は、カウンタを０にリセットして、入力された入力側垂直同期信号をそのまま出力側垂直同期信号として映像処理部１３及び通信制御部１４に出力する（ステップＳ９２）。次に、同期信号制御部１５は、出力側垂直同期信号を出力してから１６．５ミリ秒が経過したか否かを判断する（ステップＳ９３）。
【００８７】
出力側垂直同期信号を出力してから１６．５ミリ秒が経過するまでは（ステップＳ９３にてＮＯ）、本来の周期より早く次の入力側垂直同期信号が入力されなかったかを確認するために、同期信号制御部１５は、入力側垂直同期信号の立下りの立下りがあるか否かを判断する（ステップＳ９４）。
【００８８】
本来の周期よりも早い次の入力側垂直同期信号の立下りがなく（ステップＳ９４にてＮＯ）、出力側垂直同期信号を出力してから１６．５ミリ秒が経過したときは（ステップＳ９３にてＮＯ、ステップＳ９４にてＮＯを繰り返して、ステップＳ９３にてＹＥＳ）、ステップＳ９５に移行して、同期信号制御部１５は、入力側垂直同期信号の立下りがあるまで待って（ステップＳ９５にてＮＯを繰り返す）、入力側垂直同期信号の立下りが検出された場合には（ステップＳ９５にてＹＥＳ）、ステップＳ９２に戻って、その入力側垂直同期信号をそのまま出力側垂直同期信号として映像処理部１３及び通信制御部１４に出力する。
【００８９】
本来の周期より早い入力側垂直同期信号が入力されると、出力側垂直同期信号を出力してから１６．５ミリ秒が経過する前に（ステップＳ９３にてＮＯ）、同期信号検出部１２にて入力側垂直同期信号の立下りが検出される（ステップＳ９４にてＹＥＳ）。上記の実施の形態及びその第１の変形例では、この後にステップＳ３１、ステップＳ７１に戻って次の入力側垂直同期信号を待って、入力側垂直同期信号が入力されると（ステップＳ３１、ステップＳ７１にてＹＥＳ）、それをそのまま出力側垂直同期信号として出力したが（ステップＳ３２、ステップＳ７２）、そうすると、図１０に示すように、同期信号制御部１５が出力側垂直同期信号を出力してから１６．５ミリ秒が経過する前に２回目の入力側垂直同期信号の立下りがあった場合には、その２回目の入力側垂直同期信号がステップステップＳ３２、ステップＳ７２にてそのまま出力されてしまう。
【００９０】
そこで、第３の変形例では、入力側垂直同期信号が乱れることで、出力側垂直同期信号を出力してから１６．５ミリ秒が経過する前に２回目の入力側垂直同期信号の立下りがある場合には、２回目以降の入力側垂直同期信号も無視するようにする。このために、第３の変形例では、出力側垂直同期信号を出力してから１６．５ミリ秒が経過する前に（ステップＳ９３にてＮＯ）、入力側垂直同期信号の立下りが検出された場合には（ステップＳ９４にてＹＥＳ）、同期信号制御部１５は、続けて出力側垂直同期信号を出力してから１６．５ミリ秒が経過したか否かを判断する（ステップＳ１０１）。
【００９１】
出力側垂直同期信号を出力してから１６．５ミリ秒が経過するまでは（ステップＳ１０１にてＮＯ）、同期信号制御部１５は、２回目の入力側垂直同期信号の立下りがあるか否かを判断する（ステップＳ１０２）。２回目の入力側垂直同期信号の立下りがなく、出力側垂直同期信号を出力してから１６．５ミリ秒が経過した場合には（ステップＳ１０１にてＹＥＳ）、図５に示した状況と同様の状況であるので、ステップＳ９１に戻って、同期信号制御部１５は、次の入力側垂直同期信号の立下りを待つ。
【００９２】
一方、出力側垂直同期信号を出力してから１６．５ミリ秒が経過するまでに２回目の入力側垂直同期信号の立下りがあった場合には（ステップＳ１０２にてＹＥＳ）、出力側垂直同期信号を出力してから１６．８ミリ秒が経過するまで待って（ステップＳ１０３でＮＯを繰り返した後にＹＥＳ）、同期信号制御部１５は、自ら出力側垂直同期信号を立ち下げる（ステップＳ１０４）。なお、ステップＳ１０２にて２回目の入力側垂直同期信号が入力された後、ステップＳ１０３で出力側垂直同期信号を出力してから１６．８ミリ秒が経過するのを待つ間に、さらに、３回目、４回目・・・の入力側垂直同期信号の立下りが検出されても、同期信号制御部１５はそれらを無視して、出力側垂直同期信号を出力してから１６．８ミリ秒が経過するのを待って、ステップＳ１０４で出力側垂直同期信号を立ち下げる。
【００９３】
同期信号制御部１５は、ステップＳ１０４で出力側垂直同期信号を立ち下げた後は、垂直同期信号のロー期間が終了するのを待って（ステップＳ１０５でＮＯを繰り返した後にＹＥＳ）、出力側垂直同期信号を立ち上げて（ステップＳ１０６）、ステップＳ９３に戻る。
【００９４】
第３の変形例によれば、入力側垂直同期信号が激しくハイとローを繰り返すように乱れる場合にも、入力側垂直同期信号が本来の周期よりも早く入力されて、さらに２回目の早い入力側垂直同期信号が検出されると、その後は、本来の周期が経過するまで、入力側垂直同期信号を無視するので、図１０に示すように、映像表示期間において出力側垂直同期信号が立ち下がることがなく、映像を安定して表示できるとともに、マイコン２０が出力側垂直同期信号を使って通信を行う場合にもその通信を安定させることができる。
【００９５】
（第４の変形例）
図１１は、第４の変形例の映像処理ＩＣ１０による出力側垂直同期信号の出力処理のフローチャートである。第３の変形例では、第１の変形例の出力側垂直同期信号の出力処理に対して、入力側垂直同期信号の乱れに対処する機能を追加したものであったが、第４の変形例は、上記の実施の形態の出力側垂直同期信号の出力処理に対して、入力側垂直同期信号の乱れに対処する機能を追加したものである。よって、図１１のフローチャートにおいて、図３に示した上記の実施の形態と同じ処理には同じ符号を付し、図９に示した第３の変形例と同じ処理については同じ符号を付してある。各ステップにおける処理は、上記の実施の形態及びその第３の変形例で説明した通りであるので説明を省略する。
【００９６】
第４の変形例によれば、図５に示すように、映像の入力源の切替え等により、入力側垂直同期信号が本来の周期より早く入力される場合にも、図６に示すように、入力側垂直同期信号が本来の周期を過ぎても入力されない場合にも、さらには、図１０に示すように、入力側垂直同期信号が乱れる場合にも、同期信号制御部１５が直ちに対応して、必要に応じて入力側垂直同期信号を無視し、又は自ら出力側垂直同期信号を出力するので、映像を安定して表示できるとともに、通信制御部１４が出力側垂直同期信号を使ってマイコン２０と通信の制御を行う場合にもその通信を安定させることができる。
【００９７】
なお、上記の実施の形態では、通信制御部１４が、同期信号制御部１５が出力する出力側垂直同期信号をそのままマイコン２０との通信のための通信タイミング信号として用いる例を説明したが、映像処理ＩＣ１０は、さらに同期信号制御部１５が出力する出力側垂直同期信号に基づいて、通信タイミング信号を生成する通信タイミング信号生成部を備え、通信制御部１４はマイコン２０との通信にこの通信タイミング信号を用いてもよい。この場合は、通信タイミング信号は、出力側垂直同期信号と同じ周期ではあるが、出力側垂直同期信号に基づいて加工された（例えば位相がずれた）信号となる。
【００９８】
以上に現時点で考えられる本発明の好適な実施の形態を説明したが、本実施の形態に対して多様な変形が可能であり、そして、本発明の真実の精神と範囲内にあるそのようなすべての変形を添付の請求の範囲が含むことが意図されている。
【産業上の利用可能性】
【００９９】
以上のように、本発明は、入力側垂直同期信号の乱れによる影響を軽減することができるという効果を有し、垂直同期信号を用いて、映像の表示や映像処理を制御するための通信を行なう映像処理装置等として有用である。
【符号の説明】
【０１００】
１０  映像処理ＩＣ
１１  映像入力部
１２  同期信号検出部
１３  映像処理部
１４  通信制御部
１５  同期信号制御部
２０  マイコン
３０  ディスプレイ
１００  映像表示装置
【図１】
2012120780.tif 000003
【図２】
2012120780.tif 000004
【図３】
2012120780.tif 000005
【図４】
2012120780.tif 000006
【図５】
2012120780.tif 000007
【図６】
2012120780.tif 000008
【図７】
2012120780.tif 000009
【図８】
2012120780.tif 000010
【図９】
2012120780.tif 000011
【図１０】
2012120780.tif 000012
【図１１】
2012120780.tif 000013
【図１２】
2012120780.tif 000014
【国際調査報告】
2012120780.tif 000015
2012120780.tif 000016
2012120780.tif 000017
2012120780.tif 000018